(57)【要約】【課題】  ユーザに対してバーコードの提示を含めた精算のため行動を的確に指示できる精算機用リーダモジュールや精算機を提供する。【解決手段】  精算機用リーダモジュール(40)は、バーコード読み取り機(41)および短距離無線通信機(49)を隣接させる。バーコード読み取り機(41)は、読み取る対象となるバーコードが表示された媒体（たとえばスマートフォンの画面）を接触させる透光板(42)と、バーコードにピントを合わせて読み取るためのカメラ(43)と、透光板(42)へ精算機(30)のユーザに対する指示を表示する指示表示機構と、その指示表示機構の表示に関する制御信号を発する制御装置と、を備える。指示表示機構は、制御装置からの制御信号を介してユーザに対する複数種類の指示を表示可能とする。【選択図】  図５
2019191826.tif 000002
【特許請求の範囲】
【請求項１】
精算機の正面へ設置される精算機用リーダモジュールであって、
バーコード読み取り機および短距離無線通信機を隣接させており、
前記のバーコード読み取り機は、
読み取る対象となるバーコードが表示された媒体を接触させる透光板と、
その透光板に接したバーコードにピントを合わせて読み取るためのカメラと、
前記の透光板へ精算機のユーザに対する指示を表示する指示表示機構と、
その指示表示機構の表示に関する制御信号を発する制御装置と、を備え、
前記の指示表示機構は、前記の制御装置からの制御信号を介してユーザに対する複数種類の指示を表示可能とした精算機用リーダモジュール。
【請求項２】
前記の短距離無線通信機におけるユーザ側の面は、その一部または全部が前記の透光板におけるユーザ側の面よりもユーザ側へ近づくように位置して、面一とならないように形成した
請求項１に記載の精算機用リーダモジュール。
【請求項３】
前記の指示表示機構は、投影用文字板とその投影用文字板における前記の投光板とは反対側に位置させた投影光発光器とを備えて形成した
請求項１または請求項２のいずれかに記載の精算機用リーダモジュール。
【請求項４】
前記の透光板の周囲には、透光板の表面をバーコードが表示された媒体から保護するための保護枠を備え、
その保護枠におけるユーザ側の面と前記の短距離無線通信機におけるユーザ側の面とが面一となるように形成した
請求項１から請求項３のいずれかに記載の精算機用リーダモジュール。
【請求項５】
請求項１から請求項４に係る精算機用リーダモジュールを組み込んだ精算機であって、
その精算機は、精算機のユーザに対する画面出力をする出力パネルと、
その出力パネルに対する画面出力を制御する出力制御装置と、
カードリーダ、コイン投入口および紙幣投入口を連続させて備えたユーザ操作装置群と、
を備え、
前記のユーザ操作装置群は、前記の出力パネルに隣接させて配置し、
前記の精算機用リーダモジュールは、前記のユーザ操作装置群の下方へ配置した精算機。
【請求項６】
管理サーバとの双方向通信が可能な通信装置を備え、
その通信装置は、前記の制御装置および出力制御装置が実行する制御プログラムにおける更新プログラムをダウンロードすることとした
請求項５に記載の精算機。
【発明の詳細な説明】
【技術分野】
【０００１】
本発明は、屋外に設置される精算機や自動販売機に採用可能なリーダモジュール、およびそのリーダモジュールを備えた精算機であって、精算のための動作が分かりやすい技術に関する。
【背景技術】
【０００２】
サービス対価の支払い精算を無人で完結するための精算機や無人で物販をする自動販売機（以下、単に「精算機」と総称することとする）は、年々進化している。進化の要因（世の中のニーズなど）のひとつに、現金以外の支払い方法が多様化している点が挙げられる。支払い方法としては、クレジットカードに加え、各種の電子マネーがしのぎを削っている。
【０００３】
短距離無線通信用のＩＣチップおよび各種のデータを記録するＩＣチップを組み込んだプラスチック製のＩＣカードや携帯情報端末などで、「電子財布」などと呼ばれる決済技術が普及している。この技術は、電子財布からの支払いを受けつける端末に、短距離無線通信のデバイスを介して、電子財布のデータ記録用ＩＣチップに対して所定の金額を差し引く旨のデータを書き込むのである。
短距離無線通信を用いた決済技術としては、ＦｅｌｉＣａ（登録商標）が代表的である。
【０００４】
二次元バーコードを中心とした情報伝達、たとえば割引券、クーポン券の発行などが増えている。すると、精算機や自動販売機においても、バーコードによる割引券を読み取って対応することが求められることとなる。
【０００５】
以下のような検索式にて、先行する特許技術を検索した。
[二次元バーコード/CL+二次元コード/CL+QRコード/CL+ＱＲコード/CL]*[エリアセンサ/CL]*[光/CL]
この検索式によって６件の特許出願を抽出し、検討した。なお、上記の「ＱＲコード」は、登録商標である。
【０００６】
特許文献１には、店舗での代金精算に応じた割引情報を駐車場の利用料金の精算に反映することが容易であり、かつ円滑な駐車場の入場及び出場が可能となる駐車場管理システムが開示されている。たとえば、特許文献１の図１３に示すようなレシートに印刷された一次元バーコードを、特許文献１の図１２に示すレシートリーダが読み取れる旨、開示されている。
【０００７】
特許文献２には、店舗の利用者に駐車料金の割引サービスを提供したい店舗のオーナの要望に応じて、利用者への駐車料金の割引サービスの提供を容易に実現するための技術が開示されている。
【先行技術文献】
【特許文献】
【０００８】
【特許文献１】特開２０１７−１０２６０８号公報
【特許文献２】特開２０１７−３７３６０号公報
【発明の概要】
【発明が解決しようとする課題】
【０００９】
精算機や自動販売機を利用するユーザは、現金、クレジットカード、短距離無線通信を用いた電子マネー、バーコードリーダといった多数種類の機器を操作する必要がある。
そのため、操作を誤ったり、操作に時間がかかったりする事態が発生する。
【００１０】
一方、機器の種類が増えたことに伴って、ユーザの操作を円滑にするための技術は、先行する特許文献には開示されていなかった。
【００１１】
本発明が解決しようとする課題は、ユーザに対してバーコードの提示を含めた精算のため行動を的確に指示できる精算機に関する技術を提供することにある。
【課題を解決するための手段】
【００１２】
本願における第一の発明は、精算機とは独立して製造され、精算機に対して固定する精算機用リーダモジュールに係る。第二の発明は、第一の発明を備えた精算機に係る。
（第一の発明）
精算機(30)の正面へ設置される精算機用リーダモジュール(40)に係る。
その精算機用リーダモジュール(40)は、バーコード読み取り機(41)および短距離無線通信機(49)を隣接させており、
前記のバーコード読み取り機(41)は、  読み取る対象となるバーコードが表示された媒体（たとえばスマートフォンの画面、紙媒体など）を接触させる透光板(42)と、  その透光板(42)に接したバーコードにピントを合わせて読み取るためのカメラ(43)と、  前記の透光板(42)へ精算機(30)のユーザに対する指示を表示する指示表示機構と、  その指示表示機構の表示に関する制御信号を発する制御装置と、を備える。
その指示表示機構は、前記の制御装置からの制御信号を介してユーザに対する複数種類の指示を表示可能とした（図４、図５参照）。
【００１３】
（用語説明）
「精算機(30)」は、サービス対価の支払い精算を無人で完結するための精算機、無人で物販をする自動販売機の両方を含む。一方、「精算機用リーダモジュール」とは、精算機用リーダモジュールを構成する各部品を組み立てられて形成され、精算機(30)のための筐体へ組み込まれることで精算機(30)となるモジュールである。
「隣接」させたバーコード読み取り機(41)および短距離無線通信機(49)の位置関係は、精算機(30)に向かうユーザから見て左にバーコード読み取り機(41)で右に短距離無線通信機(49)である位置関係が標準的である（図１参照）。しかし、左右が逆の場合（図示を省略）、上下の位置関係である場合（図９参照）も含む。
【００１４】
「ユーザに対する指示」とは、たとえば、バーコード読み取り機(41)へバーコード表示媒体をあてがう旨の指示(47)、短距離無線カードを短距離無線通信機へ近づける旨の指示(48)、などである（図５参照）。
「制御装置」は、本発明に係る精算機用リーダモジュール(40)が独自に備えている場合のほか、精算機全体の制御を司る制御装置からの制御信号を中継する機能を果たすのみである制御信号中継装置である場合も含む。
【００１５】
（作用）
制御装置からの制御信号によって、指示表示機構が作動し、ユーザに対する指示の一種類が透光板(42)へ投影される。
バーコード表示媒体へバーコードをかざすような指示が透光板(42)へ表示された場合、ユーザは、手持ちのバーコード表示媒体(50)を透光板(42)へ接触させる。すると、カメラ(43)がバーコード表示媒体(50)に表示されたバーコードを読み取ることができる。
透光板(42)へ投影された指示表示が短距離無線通信機(49)へ短距離無線媒体（たとえば短距離無線カード、短距離無線機能を内蔵したスマートフォン）を近づけるような指示である場合、ユーザは、手持ちの短距離無線媒体(60)を短距離無線通信機(49)へ近づける。すると、短距離無線通信機(49)は短距離無線媒体(60)との通信をすることができる（一般的には、精算機能を実行する）。
精算機にて精算をしようとするユーザにとって、指示投影に従って操作をすればよいので、操作が円滑となり、迷ったり間違えたりしにくくなる。
【００１６】
（第一の発明のバリエーション１）
本願における第一の発明は、以下のように形成すると、より好ましい。
すなわち、前記の短距離無線通信機(49)におけるユーザ側の面は、その一部または全部が前記の透光板(42)におけるユーザ側の面（上面）よりもユーザ側へ近づくように位置して、面一とならないように形成するのである（図７、図８参照）。
【００１７】
（作用）
短距離無線通信機(49)におけるユーザ側の面の一部または全部が前記の透光板(42)におけるユーザ側の面よりもユーザ側へ近づくように位置しているため、ユーザが短距離無線媒体(60)を短距離無線通信機(49)へ近づけ過ぎて短距離無線通信機(49)に接触させてしまうような場合がある。そのような場合でも、投稿板(42)に接触することを概ね防ぐことができる。投稿板(42)の表面が傷付いてしまうことを抑制し、バーコードの読み取りエラーを減らすことに寄与する。
【００１８】
（第一の発明のバリエーション２）
第一の発明は、以下のように形成してもよい。
すなわち、  前記の指示表示機構は、投影用文字板(46)とその投影用文字板(46)における前記の投光板(42)とは反対側に位置させた投影光発光器(45)とを備えて形成するのである（図４（ｂ）参照）。
ここで、投影光発光器(45)とは、たとえばＬＥＤである。
【００１９】
（作用）
投影光発光器(45)から発光された光は、投影用文字板(46)を通過し、その影が透光板(42)に写る。ユーザはその文字を読むことができる。
【００２０】
（第一の発明のバリエーション３）
第一の発明は、以下のように形成してもよい。
すなわち、前記の透光板(42)の周囲には、透光板(42)の表面をバーコードが表示された媒体から保護するための保護枠(42A)を備える。そして、その保護枠(42A)におけるユーザ側の面と前記の短距離無線通信機(49)におけるユーザ側の面とが面一となるように形成する（図４参照）。
【００２１】
（作用）
バーコード読み取り機(41)および短距離無線通信機(49)を隣接させているが、ユーザから見て保護枠(42A)におけるユーザ側の面と前記の短距離無線通信機(49)におけるユーザ側の面とが面一なので、スッキリしたデザインとなる。
【００２２】
（第二の発明）
第二の発明は、第一の発明に係る精算機用リーダモジュール(40)を組み込んだ精算機(30)に係る。
その精算機(30)は、精算機のユーザに対する画面出力をする出力パネル(33）と、
その出力パネル(33)に対する画面出力を制御する出力制御装置と、
カードリーダ(34)、コイン投入口(35)および紙幣投入口(36)を連続させて備えたユーザ操作装置群と、を備える。
前記のユーザ操作装置群は、前記の出力パネル(33)に隣接させて配置し、
前記の精算機用リーダモジュール(40)は、前記のユーザ操作装置群の下方へ配置する。
【００２３】
（用語説明）
「出力パネル(33)」は、タッチパネルとしても機能する入出力装置であることが望ましい。精算機(30)のユーザに対して出力表示をするのみではなく、ユーザからの入力、たとえば表示ボタンからの選択（たとえば、ユーザに選択させる支払い方法の選択ボタンへのタッチ）などを受けることができるからである。
【００２４】
（作用）
精算機(30)の出力パネル(33)は、ユーザに対してユーザがやるべき操作の指示を画面出力する。その出力パネル(33)に対して、出力制御装置は、前記の出力パネル(33)に対しての出力を制御する。
カードリーダ(34)、コイン投入口(35)および紙幣投入口(36)を連続しており、精算機用リーダモジュール(40)はその下方に位置しており、ユーザが操作すべき装置が整理されているので、ユーザは操作しやすい。
【００２５】
（第二の発明のバリエーション）
第二の発明は、以下のように形成してもよい。
すなわち、  管理サーバとの双方向通信が可能な通信装置を備え、
その通信装置は、前記の制御装置および出力制御装置が実行する制御プログラムにおける更新プログラムをダウンロード可能とすると、より好ましい。
【００２６】
（作用）
精算機用リーダモジュールの制御装置による制御、出力モニタへ出力する出力画面を変更したい場合、管理サーバから必要な制御プログラムやデータを送信すれば実現できる。
【発明の効果】
【００２７】
第一の発明によれば、ユーザに対してバーコードの提示を含めた精算のため行動を的確に指示できる精算機用リーダモジュールを提供することができた。
第二の発明によれば、ユーザに対してバーコードの提示を含めた精算のため行動を的確に指示できる精算機用リーダモジュールを備えた精算機を提供することができた。
【図面の簡単な説明】
【００２８】
【図１】第一の実施形態に係る精算機を示す斜視図および部分拡大図である。
【図２】従来技術を用いてスキャナ装置および短距離無線通信装置を並列させた場合の内部機構を示す正面図（ａ）および斜視図（ｂ）である。
【図３】第一の実施形態に係るスキャナ装置および短距離無線通信装置を並列させた場合の内部機構を示す正面図（ａ）および斜視図（ｂ）である。
【図４】第一の実施形態に係る精算機用リーダモジュールの斜視図（ａ）、断面図（ｂ）、および部分拡大図（ｃ）である。
【図５】第一の実施形態に係る精算機用リーダモジュールが複数の指示表示をすることができる旨を示すための斜視図（ａ）および断面図（ｂ）である。
【図６】第二の実施形態に係る精算機用リーダモジュールが複数の指示表示をすることができる旨を示すための斜視図（ａ）、断面図（ｂ）、および部分拡大図（ｃ）である。
【図７】第三の実施形態に係る精算機用リーダモジュールを示す斜視図（ａ）および断面図（ｂ）である。
【図８】第四の実施形態に係る精算機用リーダモジュールを示す斜視図（ａ）および断面図（ｂ）である。
【図９】スキャナ装置および短距離無線通信装置を並列させるパターンのバリエーション、およびそれに伴う指示投影のバリエーションを示す斜視図である。
【図１０】実施形態に係る精算機による精算手順を示すフローチャートである。
【図１１】本願に係る精算機（複数）と管理サーバとの関係を示す概念図である。
【発明を実施するための形態】
【００２９】
以下、本発明を実施形態および図面に基づいてさらに詳しく説明する。本実施形態は、図１ら図１０に示す。図２を用いた従来技術を示す図面も、適宜参照する。
ここで、精算機とは、サービス対価の支払い精算を無人で完結するための精算機、無人で物販をする自動販売機の両方を含む。
【００３０】
（図１）
図１は、第一の実施形態に係る精算機３０の斜視図である。
この精算機３０は、これが設置される駐車場などの路面へ固定される厚平板状の土台１０上面へ固定される略直方体の精算機３０である。略直方体の筐体へ、精算機用モジュールが組み込まれ、精算機３０となる。
【００３１】
精算機３０の筐体は、精算機３０のメンテナンスの際に開き戸構造にて開放可能な正面パネル３１と、その開き戸構造に対するキー３２Ａを備えた側面板３２とを備えている。前記の精算機用操作モジュールのほとんどは、正面パネル３１に組み込まれる。
【００３２】
精算機用モジュールは、精算機３０のユーザに対する画面出力をするとともにユーザからの入力を受け付け可能なタッチパネル式の出力パネル３３と、その出力パネル３３に対する画面出力を制御する出力制御装置（図示を省略）と、出力パネル３３に隣接させるカードリーダ３４、コイン投入口３５および紙幣投入口３６を連続させて備えたユーザ操作装置群、を備える。
【００３３】
ユーザ操作装置群３４，３５，３６の下方には、スキャナ装置（多機能スキャナ）としての精算機用リーダモジュール４０を備える。また、その精算機用リーダモジュール４０の下方には、釣り銭口３８を備える。また、精算機用リーダモジュール４０の両隣には、ユーザに対する音声案内を出力するスピーカ３９を備える。
ユーザとしては、出力パネル３３に表示される指示に従って操作をするが、その操作は釣り銭を受け取るまでを含めても、上から下への単純な動線となる。
【００３４】
本実施形態においては、精算機用リーダモジュール４０を「多機能スキャナ」としている。この「多機能スキャナ」とは、バーコードや文字などを読み取るバーコード読み取り機４１に加えて、短距離無線通信が可能な短距離無線通信機４９を一体化させた装置としている。非接触通信装置を備えたのは、スマートフォンやＩＣカードへ内蔵された電子マネーでの支払いに対応するためである。
【００３５】
（図２）
図２は、バーコード読み取り機４１および短距離無線通信機４９を、従来の技術にて並列させた状態を、正面側から見た図（図２（ａ））、および裏側から見た図（図２（ｂ））である。
バーコード読み取り機４１に必要なカメラ４３が比較的大きな容積を必要としている。そのため、これまでのバーコード読み取り機のユニットと短距離無線通信機のユニットとを、単純に並列させたら、図１に示したような配置に収まらない。
【００３６】
（図３）
図３は、バーコード読み取り機４１および短距離無線通信機４９を構成する各部品を、本発明のために組み直すことで、ユーザ側へ表出する部分をコンパクト化したものである。詳細な説明は省略するが、精算機用リーダモジュール４０としての横方向寸法を特にコンパクト化している。
【００３７】
（図４）
図４は、第一の実施形態に係る精算機用リーダモジュールを示す。
この精算機用リーダモジュール４０は、バーコード読み取り機４１および短距離無線通信機４９を精算機３０の正面パネルへ組み込まれた場合に水平方向へ隣接させている。
【００３８】
バーコード読み取り機４１は、読み取る対象となるバーコードが表示された媒体、たとえばスマートフォンの画面、紙媒体などを接触させる透光板４２と、その透光板４２に接したバーコードにピントを合わせて読み取るためのカメラ４３と、前記の透光板４２へ精算機３０のユーザに対する指示を表示する指示表示機構と、その指示表示機構の表示に関する制御信号を発する制御装置（図示を省略）と、を備える。
【００３９】
バーコードが表示された媒体と透光板４２とが接することで透光板４２が傷付くことを防止するため、透光板４２の外周には保護枠４２Ａを備えている。この保護枠４２Ａは、図４（ｂ）に示すように、短距離無線通信機４９のユーザ側面と面一となっている。そのため、見た目のデザイン性にも優れている。
【００４０】
前記した指示表示機構は、制御装置からの制御信号を介してユーザに対する複数種類の指示を表示可能なものである。すなわち、投影用文字板４６（抜いた文字４６Ａ）と、その投影用文字板４６における前記の投光板４２とは反対側に位置させた投影光発光器（ＬＥＤ）４５とを備えて形成される。投影用文字板４６は側面板４４における精算機３０の内部側へ位置している。
図４では、投影用文字板４６を抜いた文字４６Ａとしているので、透光板４２には抜かれた文字が、ＬＥＤ４５の光色で投影されることとなる。
【００４１】
（図５）
図５では、第一の実施形態に係る精算機用リーダモジュールが複数の指示表示をすることができる旨を示している。説明の便宜のため、図４に示していた保護枠４２Ａを省略して描いている。
図５（ａ）では、ユーザがバーコード表示媒体５０としてスマートフォンを示している。精算機が駐車料金を精算するためのものである場合、バーコードは、たとえば駐車料金の割引や無料化をするためのデータとして、スマートフォンへ電子クーポンといった形式でインストールされる。
【００４２】
図１に示した出力パネル３３へ、「割引クーポンをお持ちの方は、「ＱＲ」と表示された部分へ二次元バーコードをかざしてください」といった表示がされ、スピーカ３９からも音声で指示がなされる。そうした出力と同時に、前述した指示表示機構における制御装置が、「ＱＲ」という指示投影４７が透光板４２へ表示させる。
【００４３】
指示投影４７を目立たせるため、光りっぱなしではなく、点滅させるようにしてもよい。
なお、「ＱＲ」は二次元バーコードの意味であり、単なる例示である。実際の精算機においては、ユーザにとってもっと分かりやすい表示を採用することが一般的である。
【００４４】
「ＱＲ」の指示投影４７を見たユーザがバーコード表示媒体５０としてのスマートフォンをバーコード読み取り機４１へかざすと、カメラ４３がスマートフォンの画面へ表示されたバーコードを読み取り、そのバーコードが意図する駐車料金の割引や無料化といったデータを精算機３０の内部で情報処理する。
【００４５】
図５（ｂ）では、ユーザが短距離無線媒体６０として、短距離無線ＩＣ内蔵カードを例示している。
バーコードによる割引処理が終了して精算額が確定すると、図１に示した出力パネル３３へ「精算額が表示されるとともに、精算方法の選択を促す画面出力がなされる。スピーカ３９からも音声で指示がなされる。そうした出力の結果、ユーザが短距離無線通信機を用いた精算方法（いわゆる電子マネー）を選択すると、前述した指示表示機構における制御装置が、「ＮＦＣ」および「右矢印」の指示投影４８が透光板４２へ表示させる。
なお、「ＮＦＣ」は短距離無線通信の意味であり、単なる例示である。実際の精算機においては、ユーザにとってもっと分かりやすい表示を採用することが一般的である。
【００４６】
「ＮＦＣ」の指示投影４８を見たユーザが短距離無線媒体６０としての短距離無線ＩＣ内蔵カードを短距離無線通信機４９へかざすと、精算機において精算金額が処理される。そして、短距離無線媒体６０には精算金額が差し引かれた旨、差し引かれた日時、などがデータとして記録される。
【００４７】
ユーザとしては、割引などのための二次元バーコードの処理、精算処理などの動作を、どのタイミングで、どのデバイスに対して実行すればよいのか、が的確に指示されるので、間違えにくい。
読み取り機（の透光板）へユーザへの指示が表示される技術は、従来存在しなかった。本実施形態は、ユーザへの指示を多方面から実行でき、間違えにくさ、ユーザが処理に要する時間の短縮などに貢献している。
【００４８】
（図６）
図６では、第二の実施形態として、投影用文字の種類のバリエーションを示している。この図でも、説明の便宜のため、図４に示していた保護枠４２Ａを省略して描いている。
本実施形態に係る精算機は、屋外へ設置される場合も想定され、設置された場所が明るかったり暗かったりする。その場合、図５で示した投影用文字板４６Ａではなく、抜き文字が表示される投影用文字板４６Ｃを採用した。
【００４９】
なお、図６では左の側面板４４へ投影用文字板４６Ｃを備えていることとして示しているが、図５に示した投影用文字板４６Ａを右の側面板４４へ（投影用文字板４６Ｃとは別に）備えることしてもよい。そのようにすれば、精算機の設置環境に応じて投影用文字板４６Ａ，４６Ｃを選択したり、昼と夜で選択したりして、ユーザが見やすい方を表示させることができる。
また、図４に示していた保護枠４２Ａを省略して描いたとして説明したが、透光板４２の表面に傷付きにくいコーティングを施すなどして、保護枠４２Ａを省略した実施形態を提供することも可能である。
【００５０】
（図７）
図７では、第三の実施形態に係る精算機用リーダモジュールを示す。
この実施形態では、短距離無線通信機４９におけるユーザに対する面を立ち上げ、且つバーコード読み取り機４１の透光板４２がなす面とは異なる角度をなすような立ち上げ部４９Ａを備えている。
【００５１】
この精算機用リーダモジュールが精算機３０へ組み込まれた場合、短距離無線通信機４９におけるユーザに対する面が、バーコード読み取り機４１の透光板４２がなす面とは異なる角度をなすことなる。そのため、透光板４２が傷付きにくくなる、ユーザによる操作が円滑となる、などのメリットがある。
【００５２】
（図８）
図８では、第四の実施形態に係る精算機用リーダモジュールを示す。
この実施形態では、第三の実施形態にて示した立ち上げ部４９Ａのバリエーションとも言える。すなわち、角張ったデザインの立ち上げ部４９Ａとは異なり、保護枠４２Ａとの境目を円滑な曲面とした曲面立ち上げ部４９Ｂとしている。
なお、この実施形態においても、透光板４２の表面に傷付きにくいコーティングを施すなどして、保護枠４２Ａを省略した実施形態を提供することも可能である。その場合、透光板４２との境目を円滑な曲面とした曲面立ち上げ部４９Ｂとすることとなる。
【００５３】
（図９）
図９では、スキャナ装置４１および短距離無線通信装置４９を縦に並列させる場合のバリエーション、およびそれに伴う指示投影４８のバリエーションを示す。
【００５４】
図９（ａ）、（ｂ）では、スキャナ装置４１を上側に、短距離無線通信装置４９を下側に並列させたバリエーションを示す。この場合、指示投影４８において短距離無線通信装置４９への操作を指示する場合は、下向きの矢印表示を含むこととなる。
【００５５】
図９（ｃ）、（ｄ）では、スキャナ装置４１を下側に、短距離無線通信装置４９を上側に並列させたバリエーションを示す。この場合、指示投影４８において短距離無線通信装置４９への操作を指示する場合は、上向きの矢印表示を含むこととなる。
【００５６】
（図１０）
図１０は、駐車場を利用したユーザが、その駐車場利用の料金を前述してきた精算機によって精算する手順の一例を示すフローチャートである。
精算機の前にユーザが立つと、人感センサによって出力パネル３３が大気モードから復帰する（Ｓ１）。そして、駐車券の挿入を指示する画面が出力パネル３３へ出力される（Ｓ２）。なお、同時にスピーカ３９からは音声案内が流れる。
【００５７】
駐車券が挿入されたら、会員カードの挿入指示が出力パネル３３へ出力され、同時にスピーカ３８からは音声案内が流れる（Ｓ３）。
駐車場の提供者側としては顧客管理の利便性、ユーザとしては金銭的な価値のあるポイントが付与されたり精算手続きの簡素化されたりするといったメリットがあるので、ユーザに対しては会員登録を推奨している。しかし、ユーザによっては会員登録をしておらず（会員登録をしなくても駐車場は利用できる）、会員カードを持っていないユーザもいる。会員カードを持っていないユーザは、精算方法の選択へ飛ぶ（Ｓ７）。
【００５８】
会員登録をしているユーザは、会員カードの挿入指示に従って会員カードを挿入する（Ｓ５）。すると精算機は、ポイントを付与して会員カードをユーザへ返却する（Ｓ６）。
【００５９】
精算機は精算方法を選択するように指示を出すとともに、図示は省略するが、精算方法の選択肢を出力パネル３３へ出力する（Ｓ７）。出力される選択肢は、クレジットカード、現金、電子マネーなどであり、ユーザが選択したい支払い方法の表示をタッチする。
【００６０】
ユーザが選択した精算方法にしたがった支払い手順を、出力パネル３３およびスピーカ３８が指示する（Ｓ８）。精算ができた場合には終了し（Ｓ９、Ｓ１０）、できない場合には精算方法の選択画面へ戻る（Ｓ７）。
【００６１】
（図１１）
図１１は、前述してきた実施形態に係る精算機α、β、・・・を、精算機管理サーバが多数管理する場合を概念的に示している。
精算機α、β、・・・には、精算機管理サーバとの双方向のデータ通信が可能であるようにしてある。
【００６２】
精算機管理サーバは、各精算機α、βに備えられているカードリーダ３４やスキャナ装置３７が読み取ったデータを受信したり、出力パネル３３へ出力させるデータの更新版を送信したりする。
また、各精算機α、β、・・・の精算に関するデータを吸い上げることによって、駐車場の管理、車両の管理などに用いることができる。
【産業上の利用可能性】
【００６３】
本発明は、精算機（特に駐車料金精算装置であるが、自動販売機をも含む）を製造する製造業、精算機に用いるソフトウェアの開発業、精算機の修理やメンテナンスを行うサービス業、料金の精算機をレンタルするレンタル業、料金の精算機を代行する代行サービス業などにおいて、利用可能性を有する。
【符号の説明】
【００６４】
１０  ；土台
２０  ；屋根材
３０  ；精算機                    ３１  ；正面板
３１Ａ；上部化粧パネル            ３１Ｂ；下部化粧パネル
３１Ｃ；湾曲面（上面）
３２  ；側面板                    ３２Ａ；キー
３３  ；出力パネル                ３３Ａ；モニタ補強板
３３Ｂ；操作表示
３４  ；カードリーダ              ３５  ；コイン投入口
３６  ；紙幣投入口                ３７  ；多機能スキャナ
３８  ；釣り銭口                  ３９  ；スピーカ
４０  ；精算機用リーダモジュール
４１  ；バーコード読み取り機
４２  ；透光板                    ４２Ａ；保護枠
４３  ：カメラ
４４  ；側面板                    ４５  ；投影光発光器（ＬＥＤ）
４６  ；投影用文字板              ４６Ａ；投影用文字板（ＱＲ）
４６Ｂ；投影用文字板（ＮＦＣ）    ４６Ｃ；投影用文字板（抜き文字用）
４７  ；指示投影（ＱＲ）          ４８  ；指示投影（ＮＦＣ）
４９  ；短距離無線通信機          ４９Ａ；立ち上げ部
４９Ｂ；曲面立ち上げ部
５０  ；バーコード表示媒体（スマートフォンの液晶画面）
６０  ；短距離無線媒体（短距離無線ＩＣ内蔵カード）
【図１】
2019191826.tif 000003
【図２】
2019191826.tif 000004
【図３】
2019191826.tif 000005
【図４】
2019191826.tif 000006
【図５】
2019191826.tif 000007
【図６】
2019191826.tif 000008
【図７】
2019191826.tif 000009
【図８】
2019191826.tif 000010
【図９】
2019191826.tif 000011
【図１０】
2019191826.tif 000012
【図１１】
2019191826.tif 000013